(57)【要約】【課題】直播により稲の栽培を行う場合において、雑草の発生を抑えながら貝類を駆除する薬剤や捕獲具を使用せずに貝類の食害の発生を抑えることができる稲の直播栽培方法を得る。【解決手段】水田の田面を均平化する代掻きの後に水田を落水して、落水状態の水田に種籾６を播く第１工程と、第１工程の次に水田にかん水し、かん水状態を所定期間だけ維持する第２工程と、第２工程の次に水田を落水し、落水状態を所定期間だけ維持して、種籾６の発芽及び成長を行わせる第３工程と、第３工程の次に水田にかん水する第４工程とを備えている。【選択図】図６
2014064495.tif 000002
【特許請求の範囲】
【請求項１】
水田の田面を均平化する代掻きの後に水田を落水して、落水状態の水田に種籾を播く第１工程と、
前記第１工程の次に水田にかん水し、かん水状態を所定期間だけ維持する第２工程と、
前記第２工程の次に水田を落水し、落水状態を所定期間だけ維持して、種籾の発芽及び成長を行わせる第３工程と、
前記第３工程の次に水田にかん水する第４工程とを備えている稲の直播栽培方法。
【請求項２】
前記第１工程の前又は同時に、水田の畦際に明渠を形成する明渠形成工程を備えている請求項１に記載の稲の直播栽培方法。
【請求項３】
前記明渠形成工程が、前記代掻きと種籾を播くこととの間、又は種籾を播くことと同時に行われる請求項２に記載の稲の直播栽培方法。
【請求項４】
前記第１工程の前又は同時に、排水用の溝を水田の中央側に形成する溝形成工程を備えている請求項１，２，３のうちのいずれか一つに記載の稲の直播栽培方法。
【請求項５】
前記溝形成工程が、前記代掻きと種籾を播くこととの間、又は種籾を播くことと同時に行われる請求項４に記載の稲の直播栽培方法。
【請求項６】
前記第１工程の後に、水田の畦際に明渠を形成する明渠形成工程を備えている請求項１に記載の稲の直播栽培方法。
【請求項７】
前記第１工程の後に、排水用の溝を水田の中央側に形成する溝形成工程を備えている請求項１又は６に記載の稲の直播栽培方法。
【発明の詳細な説明】
【技術分野】
【０００１】
本発明は、水田に種籾を播いた後において、貝類の食害や雑草の発生を避けながら種籾の発芽及び生長を行う稲の直播栽培方法に関する。
【背景技術】
【０００２】
例えば直播により稲の栽培を行う場合、水田の田面を均平化する代掻きを行った後に水田を落水（水田から完全に水を抜くのではなく、田面に僅かに水が残る程度まで水を抜く状態）して、落水状態の水田に種籾を播くのであり、次に水田にかん水（田面の全てが水で覆われるように、水田に十分に水を入れる状態）して、かん水状態を維持し、種籾の発芽及び生長を行わせる。
かん水状態を維持するのは雑草の発生を抑える為であり、水面から田面が露出していると、田面の露出部分に雑草が発生するので、水面から田面が露出しないように水田に十分にかん水する必要がある。
【０００３】
これに対し近年では九州地方や中国、四国地方等の比較的温暖な地域の水田において、根部が水面下に位置する植物を食する貝類（スクミリンゴガイ（通称・ジャンボタニシ））による被害（食害）が増えてきている。前述のように直播により稲の栽培を行う場合、種籾が発芽すると、貝類がかん水状態の水田を移動して発芽した芽や少し生長した軟らかい苗を食べてしまうのである。
【０００４】
前述の貝類の食害に対して、特許文献１に開示されているように、薬剤により貝類を駆除することが提案されている。特許文献２に開示されているように、網カゴの中に誘引物質（餌）を入れた捕獲具を水田の中央側の各所に設置して、捕獲具により貝類を捕獲することが提案されている。
【先行技術文献】
【特許文献】
【０００５】
【特許文献１】特開２００５−６０３３９号公報
【特許文献２】実用新案登録第３０７０７４８号
【発明の概要】
【発明が解決しようとする課題】
【０００６】
しかしながら、特許文献１のように薬剤により貝類を駆除することは、水田の環境保全という面から好ましくない。
特許文献２では貝類を駆除する薬剤を使用しないので、水田の環境保全という面では好ましいのであるが、比較的大きな捕獲具を水田の中央側の各所に設置すると、捕獲具の設置部分に種籾を播くことができない（種籾を播いても捕獲具に邪魔されて種籾が発芽及び生長できない）ことになるので、稲の収量が減少することが考えられる。
本発明は直播により稲の栽培を行う場合において、雑草の発生を抑えながら貝類を駆除する薬剤や捕獲具を使用せずに貝類の食害の発生を抑えることができる稲の直播栽培方法を得ることを目的としている。
【課題を解決するための手段】
【０００７】
［Ｉ］
（構成）
本発明の第１特徴は、稲の直播栽培方法において次のように構成することにある。
水田の田面を均平化する代掻きの後に水田を落水して、落水状態の水田に種籾を播く第１工程と、
前記第１工程の次に水田にかん水し、かん水状態を所定期間だけ維持する第２工程と、
前記第２工程の次に水田を落水し、落水状態を所定期間だけ維持して、種籾の発芽及び成長を行わせる第３工程と、
前記第３工程の次に水田にかん水する第４工程とを備えている。
【０００８】
（作用及び発明の効果）
［Ｉ］−１
一般に水田において貝類は、水が十分にない部分を嫌がり、水が十分にある部分に集まる習性がある。そして、発芽した芽や少し生長した軟らかい苗を好んで食べ、種籾やある程度生長した苗は好まない習性がある（種籾やある程度生長した苗は比較的硬い為と考えられる）。
【０００９】
［Ｉ］−２
本発明の第１特徴は、前項［Ｉ］−１に記載の貝類の習性に着目しており、水田の田面を均平化する代掻きの後に水田を落水して、落水状態の水田に種籾を播き（第１工程）、この次に水田にかん水し、かん水状態を所定期間だけ維持する（第２工程）。
このように水田に種籾を播いた後に水田にかん水することにより、雑草の発生を抑えることができるのであり、除草剤を散布した場合には水田にかん水することにより、除草剤が水田の各部に均一に広がることになるので、除草剤により雑草の発生を有効に抑えることができる。
この場合、水田にかん水すると貝類が水田を自由に移動できる状態となるが、種籾はまだ発芽していないので、貝類による食害は発生し難い（貝類は種籾を好まない）。
【００１０】
［Ｉ］−３
本発明の第１特徴によれば、第２工程の次に種籾が発芽する状態になると、水田を落水して、落水状態を所定期間だけ維持するのであり（第３工程）、この所定期間において種籾を発芽させて、ある程度まで苗を生長させる（貝類が好まない状態まで苗を生長させる）。
この第３工程において、貝類が好む発芽した芽や少し生長した軟らかい苗が存在する状態となるが、落水により種籾（苗）の周囲は水が十分にない状態となるので、貝類が種籾（苗）に接近することはなく、貝類による食害は発生し難い（貝類が発芽した芽や少し生長した軟らかい苗を食べることは少ない）。
【００１１】
一般に、ある程度生長した苗（貝類が好まない状態まで生長した苗）とは、第１，２，３葉が出てきて、背丈が約７０ｍｍ〜１５０ｍｍ程度に生長した苗であり、比較的温暖な地域（比較的温暖な日程）では発芽から約１週間程度（所定期間）、あまり温暖でない地域（あまり温暖でない日程）では発芽から約２〜３週間程度（所定期間）の日数が必要と考えられる。
【００１２】
［Ｉ］−４
第３工程を長期間に亘って維持すると、雑草が発生するので、種籾を発芽させてある程度まで苗を生長させると（貝類が好まない状態まで苗を生長させると）、水田にかん水して（第４工程）、雑草の発生を抑える。
この場合、水田にかん水すると貝類が水田を自由に移動できる状態となるが、ある程度生長した苗は比較的硬いので、貝類による食害は発生し難い（貝類はある程度生長した苗を好まない）。
【００１３】
［Ｉ］−５
前項［Ｉ］−１〜４に記載のように直播により稲の栽培を行う場合において、貝類の習性を踏まえたうえで、落水及びかん水を交互に行いながら、種籾を播くこと及び種籾を発芽させてある程度まで苗を生長させることを、落水状態に合わせることにより、雑草の発生を抑えながら、貝類を駆除する薬剤や捕獲具を使用せずに貝類の食害の発生を抑えることができる稲の直播栽培方法が得られた。これにより、水田の環境を保全しながら、稲の収量の増加を図ることができる。
【００１４】
［ＩＩ］
（構成）
本発明の第２特徴は、本発明の第１特徴の稲の直播栽培方法において次のように構成することにある。
前記第１工程の前又は同時に、水田の畦際に明渠を形成する明渠形成工程を備えている。
【００１５】
（作用及び発明の効果）
第１及び第３工程では、水田から完全に水を抜くのではなく、田面に僅かに水が残る程度の状態まで水を抜く。
この場合、本発明の第２特徴のように、第１工程の前又は同時に水田の畦際に明渠を形成しておくと、前述の第１及び第３工程において、田面は水が十分ではなく、明渠は十分な水が残る状態となるので、水田の各部に散在していた貝類が明渠に集まる状態となる（貝類は水が十分にない部分を嫌がり、水が十分にある部分に集まる習性があることによる）。
【００１６】
これにより、明渠に集まった貝類を畦から容易に回収して駆除することができる。貝類を駆除する薬剤を水田に散布するとしても、明渠に集まった貝類に対して畦から薬剤を容易に散布することができるのであり、水田の中央側に薬剤を散布する必要が少ないので、薬剤の使用量を少ないものに抑えることができる。
特に第３工程において貝類を種籾（苗）から明渠にさらに遠ざけることができるので、貝類による食害の発生をさらに良く抑えることができる。
落水状態で明渠を形成することになる場合には、明渠の形成に水が妨げになることが少なく、明渠の形成が容易に行える。
【００１７】
［ＩＩＩ］
（構成）
本発明の第３特徴は、本発明の第２特徴の稲の直播栽培方法において次のように構成することにある。
前記明渠形成工程が、前記代掻きと種籾を播くこととの間、又は種籾を播くことと同時に行われる。
【００１８】
（作用及び発明の効果）
畦際に明渠を形成した後に代掻きを行うと、代掻き機による耕耘（代掻き）作用により明渠が崩れてしまう可能性があるので、本発明の第３特徴のように、明渠形成工程を代掻きと種籾を播くこととの間又は種籾を播くことと同時に行うことにより、形成した明渠を崩してしまうことはない。
【００１９】
［ＩＶ］
（構成）
本発明の第４特徴は、本発明の第１，２，３特徴のうちのいずれか一つの稲の直播栽培方法において次のように構成することにある。
前記第１工程の前又は同時に、排水用の溝を水田の中央側に形成する溝形成工程を備えている。
【００２０】
（作用及び発明の効果）
本発明の第４特徴のように、第１工程の前又は同時に排水用の溝を水田の中央側に形成しておくと、第１及び第３工程において、排水用の溝を介して水田の中央側の水を円滑に排水することができるのであり、水田の中央側に水が十分にある部分が残るような状態を少なくすることができて、水田の各部に散在していた貝類が明渠に集まる状態をさらに促進させることができる。
【００２１】
この場合、一般に排水用の溝は浅い溝であるので、排水用の溝に水が十分に残る状態になることはなく、貝類が排水用の溝に集まるようなことは少ない。
落水状態で排水用の溝を形成することになる場合には、排水用の溝の形成に水が妨げになることが少なく、排水用の溝の形成が容易に行える。
【００２２】
［Ｖ］
（構成）
本発明の第５特徴は、本発明の第４特徴の稲の直播栽培方法において次のように構成することにある。
前記溝形成工程が、前記代掻きと種籾を播くこととの間、又は種籾を播くことと同時に行われる。
【００２３】
（作用及び発明の効果）
水田の中央側に排水用の溝を形成した後に代掻き作業を行うと、代掻き機による耕耘（代掻き）作用により排水用の溝が崩れてしまうので、本発明の第５特徴のように、溝形成工程を代掻きと種籾を播くこととの間又は種籾を播くことと同時に行うことにより、形成した排水用の溝を崩してしまうことはない。
【００２４】
［ＶＩ］
（構成）
本発明の第６特徴は、本発明の第１特徴の稲の直播栽培方法において次のように構成することにある。
前記第１工程の後に、水田の畦際に明渠を形成する明渠形成工程を備えている。
【００２５】
（作用及び発明の効果）
第１及び第３工程では、水田から完全に水を抜くのではなく、田面に僅かに水が残る程度の状態まで水を抜く。
この場合に、本発明の第６特徴のように、第１工程の後に水田の畦際に明渠を形成しておくと、第３工程や第３工程の後に水田を落水する場合において、田面は水が十分ではなく、明渠は十分な水が残る状態となるので、水田の各部に散在していた貝類が明渠に集まる状態となる（貝類は水が十分にない部分を嫌がり、水が十分にある部分に集まる習性があることによる）。
【００２６】
これにより、明渠に集まった貝類を畦から容易に回収して駆除することができる。貝類を駆除する薬剤を水田に散布するとしても、明渠に集まった貝類に対して畦から薬剤を容易に散布することができるのであり、水田の中央側に薬剤を散布する必要が少ないので、薬剤の使用量を少ないものに抑えることができる。
特に第１工程の後において第３工程の前又は同時に明渠を形成すると、第３工程において貝類を種籾（苗）から明渠にさらに遠ざけることができるので、貝類による食害の発生をさらに良く抑えることができる。
落水状態で明渠を形成することになる場合には、明渠の形成に水が妨げになることが少なく、明渠の形成が容易に行える。
【００２７】
［ＶＩＩ］
（構成）
本発明の第７特徴は、本発明の第１又は第６特徴の稲の直播栽培方法において次のように構成することにある。
前記第１工程の後に、排水用の溝を水田の中央側に形成する溝形成工程を備えている。
【００２８】
（作用及び発明の効果）
本発明の第７特徴のように、第１工程の後に排水用の溝を水田の中央側に形成しておくと、第３工程や第３工程の後に水田を落水する場合において、排水用の溝を介して水田の中央側の水を円滑に排水することができるのであり、水田の中央側に水が十分にある部分が残るような状態を少なくすることができて、水田の各部に散在していた貝類が明渠に集まる状態をさらに促進させることができる。
【００２９】
この場合、一般に排水用の溝は浅い溝であるので、排水用の溝に水が十分に残る状態になることはなく、貝類が排水用の溝に集まるようなことは少ない。
特に落水状態で排水用の溝を形成することになる場合には、排水用の溝の形成に水が妨げになることが少なく、排水用の溝の形成が容易に行える。
【図面の簡単な説明】
【００３０】
【図１】代掻き作業の後に明渠を形成した状態（明渠形成工程）を示す水田の平面図である。
【図２】代掻き作業の後に明渠を形成した状態（明渠形成工程）を示す水田の断面図である。
【図３】図１及び図２の後に水田を落水して、落水状態で種籾を播き（第１工程）、排水用の溝を形成した状態（溝形成工程）を示す水田の平面図である。
【図４】図１及び図２の後に水田を落水して、落水状態で種籾を播き（第１工程）、排水用の溝を形成した状態（溝形成工程）を示す水田の断面図である。
【図５】図３及び図４の後に水田にかん水した状態（第２工程）を示す水田の断面図である。
【図６】図５の後に水田を落水した状態（第３工程）を示す水田の断面図である。
【図７】図６の後に水田にかん水した状態（第４工程）を示す水田の断面図である。
【図８】図１及び図２の後に水田を落水して、落水状態で種籾を播き（第１工程）、排水用の溝を形成した状態（溝形成工程）を示す水田の斜視図である。
【図９】発明の実施の第８別形態において、明渠及び溝を形成した状態を示す水田の平面図である。
【図１０】発明の実施の第８別形態において、明渠及び溝を形成した状態を示す水田の平面図である。
【図１１】発明の実施の第８別形態において、溝を形成した状態を示す水田の平面図である。
【発明を実施するための形態】
【００３１】
本発明の稲の直播栽培方法は、第１工程、第２工程、第３工程、第４工程を主たる工程として備えており、これらに加えて明渠形成工程及び溝形成工程を備えている。以下に、各工程について説明する。
【００３２】
［１］
（第１工程及び明渠形成工程、溝形成工程）
水田にかん水する前の泥が少し乾いて硬くなっている状態において、図１及び図２に示すように畦塗りを行い、水田において畦３に近接する外周部分である畦際に、明渠４を形成する。明渠４は断面凹状又は断面半円状の深い溝であり、深さは田面１から２００〜３００ｍｍ程度に設定する（明渠形成工程）。
この場合、畦塗り装置に明渠形成装置を備えて、畦塗りと同時に明渠４を形成したり、畦塗り装置とは別の明渠形成装置により明渠４を畦塗りの前又は後に形成してもよい。
【００３３】
次に図１及び図２に示すように水田にかん水し、かん水状態（田面１の全てが水（水面２）で覆われるように、水田に十分に水を入れる状態）において、代掻き機を装備したトラクタにより水田の田面１を均平化する代掻きを行う。
この場合、代掻き機による耕耘（代掻き）作用により畦際の明渠４が崩れてしまう可能性があるので、畦際に明渠４を形成した後に、畦際の明渠４の内側（水田の中央側）に連続するように（又は所定間隔を置いて）、もう一つの明渠４（畦際の明渠４よりも深い（又は浅い）（又は同じ深さ））を形成しておいてもよい。
【００３４】
次に、水田を落水（水田から完全に水を抜くのではなく、田面１に僅かに水が残る程度まで水を抜く状態（明渠４には十分な水が残る））して、落水状態の水田（田面１）に乗用型直播機により種籾６を播く（直播）（第１工程）。
図３，４，８に示す状態は、鉄コーティング処理された種籾６を使用した状態であり、田面１の上方から種籾６を自由落下させて田面１の表面に置くように種籾６を播く表面播き状態を示しており、複数粒の種籾６を所定間隔を置いて播く点播状態を示している。
【００３５】
乗用型直播機の直播装置に除草剤散布用の薬剤散布装置及び溝切り器を備えて、種籾６を播きながら、田面１への除草剤の散布及び排水用の溝５の形成を行う。排水用の溝５は断面Ｖ字状で、明渠４よりも十分に浅いものである（田面１から１００ｍｍ程度の深さ）（溝形成工程）。
【００３６】
乗用型直播機による種籾６の直播を行う場合、畦３に沿った一回の直播が終了すると、直播装置を田面１から上昇させて畦際での旋回を行い、旋回の終了後に直播装置を田面１に下降させて次の直播に入る。
この場合、一回の直播において溝切り器が明渠４に到達する前に直播装置が上昇され、乗用型直播機の旋回により明渠４が崩れてしまう可能性があるので、第１工程の終了後、作業者が手作業で明渠４と排水用の溝５とがつながるように、排水用の溝５を明渠４まで延ばしたり、崩れた明渠４を修復したりする。
【００３７】
［２］
（第２工程）
第１工程の次に、図５に示すように、水田にかん水して、かん水状態を第１所定期間だけ維持する（第２工程）。このように第１工程の後に水田にかん水することにより、雑草の発生を抑えることができるのであり、除草剤が水田の各部に均一に広がることになるので、除草剤により雑草の発生を有効に抑えることができる。
【００３８】
この場合、水田にかん水すると貝類が水田を自由に移動できる状態となるが、種籾６はまだ発芽していないので、貝類による食害は発生し難い（貝類は種籾を好まない）。第１所定期間は、直播から種籾６が発芽する少し前までの期間であり、例えば九州地方等のように比較的温暖な地域（比較的温暖な日程）では、第１所定期間として４日程度が目安となる。
【００３９】
鉄コーティング処理された種籾６を使用する場合、直播装置の直播による機械的な衝撃を受けても崩壊しない種籾６の強度及び鉄コーティングの強度を備えており、水に触れても崩壊しない鉄コーティングの強度を備えている。
第２工程において、水が鉄コーティングに浸入するのであり、侵入した水及び積算温度（気温とその気温が維持された時間との積を直播後から積算したもの）の上昇により、催芽状態になった種籾６が鉄コーティングを割り、その後の水の作用により種籾６から鉄コーティングが剥がれる。
【００４０】
［３］
（第３工程）
第２工程の次に種籾６が発芽する状態になると、図６に示すように水田を落水（水田から完全に水を抜くのではなく、田面１に僅かに水が残る程度まで水を抜く状態（明渠４には十分な水が残る））する。この場合、明渠４よりも浅い排水用の溝５を明渠４に接続させて水田の中央側に形成しているので、排水用の溝５を介して水田の中央側の水を明渠４に円滑に案内することができるのであり、水田の中央側に水が十分にある部分が残るような状態を少なくすることができる。
【００４１】
この後、落水状態を第２所定期間だけ維持するのであり（第３工程）、第２所定期間において種籾６を発芽させて、ある程度まで苗を生長させる（貝類が好まない状態まで苗を生長させる）。
第３工程において、貝類が好む発芽した芽や少し生長した軟らかい苗が存在する状態となるが、落水により種籾６（苗）の周囲は水が十分にない状態となり、明渠４に十分な水が残る状態となるので、水田の各部に散在していた貝類は明渠４に集まり種籾６（苗）に接近することはなく、貝類による食害は発生し難い（貝類が発芽した芽や少し生長した軟らかい苗を食べることは少ない）。
【００４２】
一般に、ある程度生長した苗（貝類が好まない状態まで生長した苗）とは、第１，２，３葉が出てきて、背丈が約７０ｍｍ〜１５０ｍｍ程度に生長した苗であり、比較的温暖な地域（比較的温暖な日程）では発芽から約１週間程度（第２所定期間）、あまり温暖でない地域（あまり温暖でない日程）では発芽から約２〜３週間程度（第２所定期間）の日数が必要と考えられる。
【００４３】
［４］
（第４工程）
第３工程において、種籾６を発芽させてある程度まで苗を生長させると（貝類が好まない状態まで苗を生長させると）、図７に示すように水田にかん水して（第４工程）、雑草の発生を抑える。
この場合、水田にかん水すると貝類が水田を自由に移動できる状態となるが、ある程度生長した苗は比較的硬いので、貝類による食害は発生し難い（貝類はある程度生長した苗を好まない）。
【００４４】
［発明の実施の第１別形態］
前述の［発明を実施するための形態］の表面播き状態において、種籾６を田面１に連続的に置くように播く条播状態としてもよい。
鉄コーティング処理された種籾６に代えて、カルパコーティング処理された種籾６を使用する場合には、作溝器により田面１に小さく浅い溝を形成しながら、この溝に種籾６を点播状態又は条播状態で送り込んで播いていき、種籾６に対して覆土を行う。
前項［２］に記載の第１所定期間と、前項［３］に記載の第２所定期間において、本発明を実施する地方や日程が異なれば、第１及び第２所定期間が同じ長さになったり、第１所定期間が第２所定期間よりも長くなったりすることがある。
【００４５】
［発明の実施の第２別形態］
前述の［発明を実施するための形態］［発明の実施の第１別形態］において、明渠形成工程を代掻き後のかん水状態で行ってもよく、第１工程と同時（第１工程中）や第１工程の後に行ってもよい。
【００４６】
明渠形成工程を代掻き後のかん水状態で行う場合、畦塗りの後のかん水状態において、代掻き機を装備したトラクタにより水田の田面１を均平化する代掻きを行い、次に明渠４を形成する。
次に、水田を落水して、落水状態の水田（田面１）に乗用型直播機により種籾６を播く（直播）（第１工程）。この場合、第１工程に代掻きが含まれない状態と、第１工程に代掻きが含まれる状態とが想定される。
【００４７】
明渠形成工程を第１工程と同時（第１工程中）に行う場合、直播装置に明渠形成装置及び溝切り器を備えて、種籾６を播きながら明渠４及び排水用の溝５を同時に形成したり、第１工程中において水田を落水してから種籾６を播く前や、種籾６を播いた後で第２工程に入る前に、直播装置とは別の専用の明渠形成装置により明渠４を形成してもよい。
【００４８】
明渠形成工程を第１工程の後に行う場合、第２工程中（第２所定期間中）、第３工程中（種籾６の発芽前や発芽後）、第４工程中、第４工程以後に明渠形成装置により明渠４を形成してもよい。
【００４９】
［発明の実施の第３別形態］
前述の［発明を実施するための形態］［発明の実施の第１別形態］［発明の実施の第２別形態］において、溝形成工程を第１工程の前に行ってもよく、第１工程と同時（第１工程中）や第１工程の後に行ってもよい。
【００５０】
溝形成工程を第１工程の前に行う場合、代掻きの後で第１工程に入る前に、溝形成装置により排水用の溝５を形成してもよい。第１工程の前に明渠形成工程も行う場合、明渠形成工程と同時や、明渠形成工程の前又は後に溝形成工程を行う。
【００５１】
溝形成工程を第１工程と同時（第１工程中）に行う場合、種籾６を播きながら排水用の溝５を同時に形成するのではなく、第１工程中において水田を落水してから種籾６を播く前や、種籾６を播いた後で第２工程に入る前に、直播装置とは別の溝形成装置により排水用の溝５を形成してもよい。第１工程中に明渠形成工程も行う場合、明渠形成工程と同時や、明渠形成工程の前又は後に溝形成工程を行う。
【００５２】
溝形成工程を第１工程の後に行う場合、第２工程中（第２所定期間中）、第３工程中（種籾６の発芽前や発芽後）、第４工程中、第４工程以後に溝形成装置により排水用の溝５を形成してもよい。第１工程の後に明渠形成工程も行う場合、明渠形成工程と同時や、明渠形成工程の前又は後に溝形成工程を行う。
前述の明渠形成装置及び溝形成装置として、明渠４及び排水用の溝５を形成することができる１輪式の溝切機（（株）丸山製作所の商品名：田面ライダー）を使用すればよい。
【００５３】
［発明の実施の第４別形態］
前述の［発明を実施するための形態］［発明の実施の第１別形態］〜［発明の実施の第３別形態］において、明渠４の複数箇所に部分的に深い部分を形成して、この深い部分に餌（キャベツの葉等）を入れておき、第３工程において貝類を明渠４の餌の在る部分に誘導するようにしてもよい。
【００５４】
［発明の実施の第５別形態］
前述の［発明を実施するための形態］［発明の実施の第１別形態］〜［発明の実施の第４形態］において、明渠４を一定の深さではなく、一方向に少しずつ深くなるように構成してもよい。
このように構成すると、貝類を明渠４の一箇所に誘導することができ、畦３からの貝類の回収が容易に行える。特に前述の［発明の実施の第４別形態］に記載のように、明渠４に餌の在る部分を設定した場合、明渠４の餌のある部分に近づくほど少しずつ深くなるように形成すると、第３工程において貝類を明渠４の餌の在る部分にさらに良く誘導することができる。
【００５５】
［発明の実施の第６別形態］
前述の［発明を実施するための形態］［発明の実施の第１別形態］〜［発明の実施の第５形態］において、排水用の溝５を一定の深さではなく、少しずつ深くなりながら明渠４に接続されるように構成してもよい。このように構成すると、水田を落水する場合、排水用の溝５から明渠４への水の流れが一方向になるので、貝類を排水用の溝５から明渠４に確実に誘導することができる。
【００５６】
［発明の実施の第７別形態］
前述の［発明を実施するための形態］［発明の実施の第１別形態］〜［発明の実施の第６形態］において、用水路から水田への入水路を明渠４に接続し、入水路と明渠４との接続部分を明渠４よりも深いものに形成して、第２及び第４工程に入る際に貝類が用水路から入水路を介して明渠４に侵入しようとしても、貝類を前述の接続部分で止めるようにしてもよい。
この場合、入水路を排水路に兼用してもよく、入水路とは別の排水路を明渠４に接続するように構成してもよい。入水路とは別の排水路を明渠４に接続する場合、排水路と明渠４との接続部分を明渠４よりも深いものに形成してもよい。
【００５７】
［発明の実施の第８別形態］
前述の［発明を実施するための形態］［発明の実施の第１別形態］〜［発明の実施の第７形態］において、明渠４及び溝５を以下のように形成してもよい。
図９に示すように、畦塗り、かん水状態での代掻きを行い、この後に明渠４の形成及び水田の落水を行った後、専用の溝形成装置により水田の長手方向に沿って多数の溝５を形成する。次に溝５と交差する方向に複数の溝７を、明渠４の近くや明渠４から離れた田面１の中央側に形成する。
【００５８】
図１０に示すように、畦塗り、明渠４の形成を行い、この後にかん水状態での代掻きを行い、水田の落水を行うと、代掻きにより明渠４が少し崩れて埋まった状態となることがあるのであり、この状態において専用の溝形成装置により水田の長手方向に沿って多数の溝５を形成する。次に溝５と交差する方向に複数の溝７を、明渠４の近くや明渠４から離れた田面１の中央側に形成する。
【００５９】
図１１に示すように、明渠４の形成を行わずに畦塗り、かん水状態での代掻き、水田の落水を行った後、専用の溝形成装置により水田の長手方向に沿って多数の溝５を形成する。次に溝５と交差する方向に複数の溝７を、畦３の近くや畦３から離れた田面１の中央側に形成する。
【００６０】
図９，１０，１１において、溝７は溝５のように多数形成する必要はない。溝５，７は等ピッチで形成する必要はなく、落水状態において田面１に水が残っている部分を通過するように形成してもよい。このように溝５，７を形成すると、溝５，７は等ピッチに配置される状態ではなくなる。
【００６１】
前述のように溝５，７を形成した後、乗用型直播機の直播装置に除草剤散布用の薬剤散布装置を備えて、種籾６を播きながら、田面１への除草剤の散布を行う。この場合、溝５，７により田面１から水が十分に排水された状態で種籾６が播かれるので、種籾６への酸素の供給が水により妨げられることがなく、種籾６の発芽率が向上する。
【産業上の利用可能性】
【００６２】
本発明は、水田に種籾を播いた後において、貝類の食害や雑草の発生を避けながら種籾の発芽及び生長を行う稲の直播栽培方法に適用することができる。
【符号の説明】
【００６３】
１      田面
４      明渠
５，７  排水用の溝
６      種籾
【図１】
2014064495.tif 000003
【図２】
2014064495.tif 000004
【図３】
2014064495.tif 000005
【図４】
2014064495.tif 000006
【図５】
2014064495.tif 000007
【図６】
2014064495.tif 000008
【図７】
2014064495.tif 000009
【図８】
2014064495.tif 000010
【図９】
2014064495.tif 000011
【図１０】
2014064495.tif 000012
【図１１】
2014064495.tif 000013